(57)【特許請求の範囲】
【請求項１】
マガジン本体内のロール状の感光材料をその幅方向外方側から受け止める位置決め作用体を、前記マガジン本体にその底部側から立ち上がる状態に設けてある写真処理機における感光材料収容マガジンであって、
前記位置決め作用体を前記感光材料の幅方向に対応する方向に位置変更調節可能に構成しつつ、前記位置決め作用体の底部を前記マガジン本体の底部に取り付け、前記位置決め作用体の立ち上がり方向で前記位置決め作用体の底部とは離れた所定の位置決め作用体部分を前記マガジン本体に支持させてある写真処理機における感光材料収容マガジン。
【請求項２】
前記感光材料を感光材料排出口を通して写真処理機本体に案内する感光材料ガイド部材が前記マガジン本体の前記感光材料排出口近くに取り付けられた状態であって、前記所定の位置決め作用体部分を前記感光材料ガイド部材を介して前記マガジン本体に支持させてある請求項１記載の写真処理機における感光材料収容マガジン。
【請求項３】
前記感光材料ガイド部材と所定の位置決め作用体部分との支持連結構造は、前記感光材料ガイド部材に形成した被係合部に、前記所定の位置決め作用体部分に形成した係合部を係合可能な係合連結構造に構成してある請求項２記載の写真処理機における感光材料収容マガジン。
【請求項４】
前記位置決め作用体の底部を前記マガジン本体の底部に取り付けた状態で、前記位置決め作用体がその底部側の所定の軸芯周りに浮き上がり回転するのを前記被係合部と係合部との係合で防止可能に、前記被係合部と係合部とを形成してある請求項３記載の写真処理機における感光材料収容マガジン。
【発明の詳細な説明】
【０００１】
【発明の属する技術分野】
本発明は、マガジン本体内のロール状の感光材料をその幅方向外方側から受け止める位置決め作用体を、前記マガジン本体にその底部側から立ち上がる状態に設けてある写真処理機における感光材料収容マガジンに関する。
【０００２】
【従来の技術】
従来、上記の写真処理機における感光材料収容マガジン（以下、「マガジン」と略称する）では、前記位置決め作用体をマガジン本体に位置固定するのに、位置決め作用体の底部をマガジン本体の底部に取り付けてあるだけであった。
【０００３】
【発明が解決しようとする課題】
この種のマガジンでは、前記位置決め作用体は板状に形成してあるのが普通であり、上記従来の技術のように、位置決め作用体の底部をマガジン本体の底部に取り付けただけの構造では、立ち上がり状態の位置決め作用体が、剛性不足で感光材料の幅方向に対応する方向にたわみやすく、感光材料をその幅方向で正確に位置決めするのが困難であった。
【０００４】
位置決め作用体を厚肉にして剛性を高くすることも考えられるが、位置決め作用体の底部をマガジン本体の底部に取り付けただけの構造で位置決め作用体の剛性を高くするには、位置決め作用体の全体の肉厚をかなり厚くしなければならず、これではマガジンの重量化・大型化を招来する等の不具合がある。
【０００５】
本発明は上記実情に鑑みてなされたもので、その目的は、位置決め作用体で感光材料をその幅方向に正確に位置決めすることができる写真処理機における感光材料収容マガジンを、重量化・大型化等の不具合を招来することなく提供する点にある。
【０００６】
【課題を解決するための手段】
請求項１による発明の構成・作用・効果は次の通りである。
【０００７】
［構成］冒頭に記載した写真処理機における感光材料収容マガジンにおいて、前記位置決め作用体を前記感光材料の幅方向に対応する方向に位置変更調節可能に構成しつつ、前記位置決め作用体の底部を前記マガジン本体の底部に取り付け、前記位置決め作用体の立ち上がり方向で前記位置決め作用体の底部とは離れた所定の位置決め作用体部分を前記マガジン本体に支持させてある。
【０００８】
［作用］
位置決め作用体の底部をマガジン本体の底部に取り付け、位置決め作用体の立ち上がり方向で前記位置決め作用体の底部とは離れた所定の位置決め作用体部分を前記マガジン本体に支持させてあるから、例えば位置決め作用体の肉厚を従来よりも厚くしなくても、位置決め作用体が感光材料の幅方向に対応する方向にたわみむのを抑制することができる。
【０００９】
［効果］
従って、位置決め作用体で感光材料をその幅方向に正確に位置決めすることができる写真処理機における感光材料収容マガジンを、重量化・大型化等の不具合を招来することなく提供することができた。
【００１０】
請求項２による発明の構成・作用・効果は次の通りである。
【００１１】
［構成］請求項１による発明の構成において、前記感光材料を感光材料排出口を通して写真処理機本体に案内する感光材料ガイド部材が前記マガジン本体の前記感光材料排出口近くに取り付けられた状態であって、前記所定の位置決め作用体部分を前記感光材料ガイド部材を介して前記マガジン本体に支持させてある。
【００１２】
［作用］
請求項１の構成による作用と同様の作用を奏することができるのに加え、次の作用を奏することができる。
【００１３】
前記感光材料ガイド部材は、マガジンの多数の構成部品の中でも、感光材料の搬送経路に対して正確に位置決めされている部品の一つであることから、感光材料ガイド部材を介して、前記所定の位置決め作用体部分を前記マガジン本体に支持させることで、位置決め作用体を感光材料の搬送経路に対してより正確に位置決めしやすくなる。
【００１４】
［効果］
従って、請求項１の構成による効果と同様の効果を奏することができるのに加え、位置決め作用体で感光材料をその幅方向により正確に位置決めすることができるようになった。
【００１５】
請求項３による発明の構成・作用・効果は次の通りである。
【００１６】
［構成］
請求項２による発明の構成において、前記感光材料ガイド部材と所定の位置決め作用体部分との支持連結構造は、前記感光材料ガイド部材に形成した被係合部に、前記所定の位置決め作用体部分に形成した係合部を係合可能な係合連結構造に構成してある。
【００１７】
［作用］
請求項２の構成による作用と同様の作用を奏することができるのに加え、前記感光材料ガイド部材と所定の位置決め作用体部分との支持連結構造は、前記感光材料ガイド部材に形成した被係合部に、前記所定の位置決め作用体部分に形成した係合部を係合可能な係合連結構造に構成してあるから、前記支持連結構造の複雑化を回避できるとともに、例えば位置決め作用体の位置変更調節や、位置決め作用体のマガジン本体に対する取り付け取外しを簡単に行うことができる。
【００１８】
［効果］
従って、請求項２の構成による効果と同様の効果を奏することができるのに加え、構造を簡素化できるとともに、位置決め作用体の位置変更調節作業や、位置決め作用体のマガジン本体に対する取り付け取外し作業の作業効率を向上させることができた。
【００１９】
請求項４による発明の構成・作用・効果は次の通りである。
【００２０】
［構成］
請求項３による発明の構成において、前記位置決め作用体の底部を前記マガジン本体の底部に取り付けた状態で、前記位置決め作用体がその底部側の所定の軸芯周りに浮き上がり回転するのを前記被係合部と係合部との係合で防止可能に、前記被係合部と係合部とを形成してある。
【００２１】
［作用］
請求項３の構成による作用と同様の作用を奏することができるのに加え、前記位置決め作用体の底部をマガジン本体の底部に取り付けた状態で、位置決め作用体がその底部側の所定の軸芯周りに浮き上がり回転するのを前記被係合部と係合部との係合で防止することができる。
【００２２】
［効果］
従って、請求項３の構成による効果と同様の効果を奏することができるのに加え、位置決め作用体で感光材料をその幅方向により正確に位置決めすることができるようになった。
【００２３】
【発明の実施の形態】
以下、本発明の実施の形態を図面に基づいて説明する。
【００２４】
図１に写真処理機１を示してある。この写真処理機１は、マガジン台３を写真処理機本体４に設け、パイプ状の芯材１７（図２参照）にロール状に巻かれた印画紙２（感光材料に相当）を印画紙支持部１２でロール軸芯Ｏ周りに回転自在に支持する第１マガジン５と第２マガジン６（共に感光材料収容マガジンに相当）とをマガジン台３上に横方向に並設するとともに、印画紙２を搬送する搬送装置８を設け、印画紙２を第１マガジン５から繰り出す状態と、第２マガジン６から繰り出す状態とに切り換え自在に構成し、第１マガジン５と第２マガジン６からの印画紙２を切断するカッター２３を設け、切断された印画紙２を焼付処理する画像形成部７を第１マガジン５の下方側に配設して構成してある。
【００２５】
前記画像形成部７は、印画紙２を一定速度で搬送させながらデジタル画像を１ラインごとに順次露光形成していくもので、ＤＭＤ（デジタル・ミラー・デバイス）やレーザー露光装置やＣＲＴ露光装置などがある。
【００２６】
次に、前記第１マガジン５について説明する（第２マガジン６は第１マガジン５と同一構造であるのでその説明は省略する）。
【００２７】
図２，図３に示すように、前記第１マガジン５はマガジン本体３６を上ケース２０と下ケース１９とに分割するとともに、上ケース２０と下ケース１９とを印画紙排出口１１側の横軸芯Ｐ周りに揺動開閉自在に連結した二つ割り構造に構成してある。
【００２８】
そして前記印画紙支持部１２は、前記芯材１７に挿通させる巻芯１８を設け、その巻芯１８に対する軸受け部を上ケース２０と下ケース１９とにわたって設けて構成してある。
【００２９】
前記印画紙排出口１１側に第１駆動ローラ９と第１圧着ローラ１０とから成る第１ローラ機構２４を設け、第２駆動ローラ３２をロール状の印画紙２の外周に当てつけた状態で駆動回転させる第２ローラ機構３３を、ロール状の印画紙２の縮径に伴ってその径方向内方側に追従移動可能に設けて、第１及び第２ローラ機構２４，３３のローラの正逆の回転で印画紙２を繰り出し・巻き戻すよう構成してある。
【００３０】
前記第２駆動ローラ３２は、ベルト伝動機構３５を介して第１ローラ機構２４と共通の駆動部により駆動回転する。また、第２駆動ローラ３２はばね（図示せず）によりロール状の印画紙２の外周部に圧接させてある。
【００３１】
前記下ケース１９の印画紙排出口１１の近傍に、印画紙２を印画紙排出口１１を通して写真処理機本体４に案内するガイドベース１５（感光材料ガイド部材に相当）を取り付けてある。
【００３２】
図２，図３，図４に示すように、前記上下のケース２０，１９内のロール状の印画紙２をその幅方向外方側から受け止める左右一対の板状のロールペーパーガイド１６（位置決め作用体に相当）を、位置変更機構２１を介して印画紙２の幅方向に対応する方向に位置変更調節可能に下ケース１９に、その底部から立ち上がる状態に設けて、幅の異なった複数の印画紙２ごとに、ロールペーパーガイド１６の位置を変更調節することで、前記複数の印画紙２をその幅方向で位置決め可能に構成してある。
【００３３】
前記ロールペーパーガイド１６は、ロール状の印画紙２の印画紙排出口１１に近い側の側面部分（全側面の約３分の１の大きさである）に対応させて円弧状に形成してあり、印画紙２に対する板状の印画紙受け止め部２２を、下ケース１９の底部２６に対する板状の取り付け部２５（底部に相当）から立ち上げ形成して、前記取り付け部２５を下ケース１９の底部２６にボルト２８で固定してある。
【００３４】
そして、ロールペーパーガイド１６の立ち上がり方向でロールペーパーガイド１６の取り付け部２５とは離れたロールペーパーガイド部分２７を、前記ガイドベース１５を介して下ケース１９に支持させてある。
【００３５】
前記ガイドベース１５とロールペーパガイド部分２７との支持連結構造は係合連結構造に構成してある。
【００３６】
詳しくは、ガイドベース１５の後端部の左半分側と右半分側とに、複数の三角溝状の係合溝２９（被係合部に相当）を、印画紙２の幅方向に対応する方向に並ぶ状態に形成し、前記複数の係合溝２９のうちの選択された一つの係合溝２９に係合する三角係合凸部３０（係合部に相当、図５，図６参照）を前記ロールペーパガイド部分２７に形成してある。
【００３７】
前記下ケース１９の底部２６の左半分側と右半分側とに、前記ボルト２８に対する複数の雌ねじ部３１を、印画紙２の幅方向に対応する方向にほぼ一列に並ぶ状態に形成してある。
【００３８】
前記下ケース１９の底部２６の左半分側と右半分側とに、印画紙２の長手方向に対応する方向に沿う複数の溝部３８から成る溝群をそれぞれ形成するとともに、ロールペーパーガイド１６の取り付け部２５の低面側に、いずれかの溝部３８を選択してその溝部３８の内壁に当接する係止凸部３７（図６参照）を、印画紙２の長手方向に対応する方向に沿う状態に突設してある。
【００３９】
前記複数の雌ねじ部３１と複数の係合溝２９と複数の溝部３８とで前記位置変更機構２１を構成している。
【００４０】
つまり、ロールペーパーガイド１６を位置変更調節するときは、複数の溝部３８から一つの溝部３８を選択して、その内壁に前記係止凸部３７を当接させ、前記一つの溝部３８に対応する一つの雌ねじ部３１を複数の雌ねじ部３１から選択して、これにボルト２８を螺合させるとともに、前記一つの溝部３８及び一つの雌ねじ部３１に対応する一つの係合溝２９を複数の係合溝２９から選択して、これに三角係合凸部３０を係合させる。
【００４１】
図２，図３，図５，図６に示すように、前記ロールペーパーガイド１６の取り付け部２５を下ケース１９の底部２６に取り付けた状態で、ロールペーパーガイド１６がその取り付け部２５側の軸芯Ｑ（この軸芯Ｑは、ロール状の印画紙２の軸芯Ｏに沿い、かつ、固定状態のボルト２８を通る）周りに浮き上がり回転するのを係合溝２９と三角係合凸部３０との係合で防止可能に、前記係合溝２９と三角係合凸部３０とを、ロール状の印画紙２の軸芯方向に沿う方向から見て、下ケース１９の底面に対して傾斜した方向で互いに係合するように形成してある。
【００４２】
［別実施形態］
上記の実施形態におけるロールペーパーガイド部分２７以外のロールペーパーガイド部分を前記ガイドベース１５に支持させてあってもよい。
【００４３】
前記ロールペーパーガイド部分２７を下ケース１９の内壁に直接支持させてあってもよい。
【００４４】
前記感光材料は印画紙以外のものであってもよい。
【図面の簡単な説明】
【図１】写真処理装置の縦断正面図
【図２】マガジンの縦断面図
【図３】開放状態のマガジンの縦断面図
【図４】ロールペーパーガイドの取り付け構造を示す平面図
【図５】三角係合凸部と係合溝との係合構造を示す図
【図６】ロールペーパーガイドを示す斜視図
【符号の説明】
２            感光材料
１１            感光材料排出口
１５            感光材料ガイド部材
１６            位置決め作用体
２５            位置決め作用体の底部
２６            マガジン本体の底部
２７            位置決め作用体部分
２９            被係合部
３０            係合部
３６            マガジン本体
Ｑ            軸芯
【図１】
0003750442.tif 000002
【図２】
0003750442.tif 000003
【図３】
0003750442.tif 000004
【図４】
0003750442.tif 000005
【図５】
0003750442.tif 000006
【図６】
0003750442.tif 000007